(57)【特許請求の範囲】
【請求項１】
ボックス取付基台と、該ボックス取付基台に対し垂直方向に所定間隔を有して絶縁的に並設される略長尺板状の第１母線バー及び第２母線バーと、略長尺板状をなすとともに長手方向に対し直交方向に多数の端子接続体を連設して第１母線バー及び第２母線バーに絶縁的に並設される第３母線バーと、該第３母線バーの端子接続体に絶縁的に並設されるとともに長手方向が前記ボックス取付基台に対して垂直な連結片を有してボックス取付基台に絶縁的に取着される多数の連結体と、該連結体の連結片を挟着する挟着部を一端に形成するとともに前記第１母線バーまたは第２母線バーと接続される接続部を他端に形成した略平板状であって、これら挟着部及び接続部間方向とは直交方向両側の対向片のうちのどちらかを選択して前記ボックス取付基台に隣接させる形で反転させることにより接続部と接続する第１母線バーまたは第２母線バーを選択可能とした多数の接続体と、端子接続体及び連結体が進入退出し得るよう端子部の端子孔を位置させてボックス取付基台に取着される分岐ブレーカと、を有することを特徴とする請求項１記載の分電盤。
【請求項２】
前記挟着部に、連結片を挟着する少なくとも３個の挟着片を設けたことを特徴とする請求項１記載の分電盤。
【発明の詳細な説明】
【０００１】
【産業上の利用分野】
本発明は、分電盤、特にその分岐ブレーカに供給される電圧を変換する構造を改良した分電盤に関するものである。
【０００２】
【従来の技術】
従来、単相３線式の分電盤における分岐ブレーカに供給される電圧を変換する構造として、実開平６−６０２１５号公報に開示されるものがある。このものは、図７に示すように、電源を供給する第１母線バー２  、第２母線バー７  、第３母線バー１０と、第１母線バー２  または第２母線バー７  と分岐ブレーカ１８に取着される連結体１３を接続する接続体１４を主要構成部材としている。そして、略Ｌ字状の接続体１４の第１片３０を第１ネジ３１でもって連結体１３に接続し、第２片３２を第２ネジ３３でもって第１母線バー２  の切欠部３４または第２母線バー７  の切欠部３５のどちらか一方に接続することにより、異なる電圧、例えば１００Ｖまたは２００Ｖを分岐ブレーカ１８に供給する構造となっている。なお、第３母線バー１０は、直接分岐ブレーカ１８に接続されている。
【０００３】
【発明が解決しようとする課題】
前述した分電盤は、簡単な構造で分岐ブレーカに供給される電圧を変換することができる。しかし、その電圧を変換するためには、第１ネジ及び第２ネジを緩め、第１ネジを軸として接続体を回転して第２ネジを他方の切欠部に挿入して第２ネジを締結し、さらに第１ネジを締結するといった複数の操作が必要であり、面倒であるだけでなく、施工に手間がかかっていた。
【０００４】
本発明は、上記事由に鑑みてなしたもので、その目的とするところは、分岐ブレーカに供給される電圧の変換が容易にできる分電盤を提供することである。
【０００５】
【課題を解決するための手段】
上述した課題を解決するために、請求項１記載の分電盤は、ボックス取付基台と、該ボックス取付基台に対し垂直方向に所定間隔を有して絶縁的に並設される略長尺板状の第１母線バー及び第２母線バーと、略長尺板状をなすとともに長手方向に対し直交方向に多数の端子接続体を連設して第１母線バー及び第２母線バーに絶縁的に並設される第３母線バーと、該第３母線バーの端子接続体に絶縁的に並設されるとともに長手方向が前記ボックス取付基台に対して垂直な連結片を有してボックス取付基台に絶縁的に取着される多数の連結体と、該連結体の連結片を挟着する挟着部を一端に形成するとともに前記第１母線バーまたは第２母線バーと接続される接続部を他端に形成した略平板状であって、これら挟着部及び接続部間方向とは直交方向両側の対向片のうちのどちらかを選択して前記ボックス取付基台に隣接させる形で反転させることにより接続部と接続する第１母線バーまたは第２母線バーを選択可能とした多数の接続体と、端子接続体及び連結体が進入退出し得るよう端子部の端子孔を位置させてボックス取付基台に取着される分岐ブレーカと、を有する構成としている。
【０００６】
請求項２記載の分電盤は、請求項１の挟着部に、連結片を挟着する少なくとも３個の挟着片を設けた構成としている。
【０００９】
【作用】
請求項１記載の構成によれば、第１母線バーと第２母線バーに異なる電圧を印加するとともに、接続体でもって連結体の連結片を挟着し、さらに接続体を第１母線バーまたは第２母線バーのどちらか一方と接続することにより、分岐ブレーカに供給される電圧が変換されるため、その電圧変換のための施工が容易となる。また、接続体の挟着部及び接続部間方向とは直交方向両側の対向片のうちのどちらかを選択してボックス取付基台に隣接させる形で反転させることにより接続部と接続する第１母線バーまたは第２母線バーを選択することができるため、１種類の接続体で電圧変換をすることができる。
【００１０】
また、請求項２記載の構成によれば、請求項１の作用に加えて、接続体の挟着部は、連結片を少なくとも３個の挟着片で挟着するため、接続体のねじれが低減され、挟着力が増す。
【００１３】
【実施例】
本発明の一実施例を図１乃至図６に基づいて説明する。この分電盤Ａ  は、ボックス取付基台１  と、第１母線バー２  と、第２母線バー７  と、第３母線バー１０と、連結体１３と、接続体１４と、分岐ブレーカ１８とを主要構成部品としている。なお、従来のものと基本的機能が同じ部材には同一の符号を付している。
【００１４】
ボックス取付基台１  は、後述する各母線バー２，７，１０や分岐ブレーカ１８等を装着するもので、絶縁性を有する樹脂材料でもって略平板状に形成され、この上面１ａには、各母線バー２，７，１０や分岐ブレーカ１８等を装着する。
【００１５】
第１母線バー２  、第２母線バー７  、及び第３母線バー１０は、単相３線式の電源に接続される主幹ブレーカ５  と後述する分岐ブレーカ１８を電気的に接続して、分岐ブレーカ１８に電源を供給するもので、第１母線バー２  は主回路線のＸ相と、第２母線バー７  は中性線と、第３母線バー１０は主回路線のＹ相と接続される。従って、第１母線バー２  と第２母線バー７  の間、及び第２母線バー７  と第３母線バー１０の間には１００Ｖの電圧が、第１母線バー２  と第３母線バー１０の間には２００Ｖの電圧が供給される。
【００１６】
第１母線バー２  は、導電材料製の略長尺板状であって、主幹ブレーカ５  と接続する第１本体３  と分岐ブレーカ１８と接続する第２本体４  を有する。第１本体３  は、一端に主幹ブレーカ５  の端子部５ａと接続する締結孔３ａを有し、端子ネジ６  で接続されるとともに、他端は第２本体４  と接続される。第２本体４  は、その長手方向に対し直交方向に多数の取着片４ａ，４ａ  …を並設し、ボックス取付基台１  に対して所定間隔を有するようボックス取付基台１  と平行に配設される。また、各取着片４ａ，４ａ  …には、雌ネジ形状の締結ネジ部４ｂを有する。
【００１７】
第２母線バー７  も、導電材料製の略長尺板状であって、主幹ブレーカ５  と接続する第３本体８  と分岐ブレーカ１８と接続する第４本体９  を有する。第３本体８  は、一端に主幹ブレーカ５  の端子部５ａと接続する締結孔８ａを有し、端子ネジ６  で接続されるとともに、他端は第４本体９  と接続される。第４本体９  は、その長手方向に対し直交方向に多数の取着片９ａ，９ａ  …を並設し、ボックス取付基台１  と第１母線バー２  の第２本体４  の間であって絶縁を保てる位置にボックス取付基台１  と平行に配設される。また、各取着片９ａ，９ａ  …には、雌ネジ形状の締結ネジ部９ｂを有する。
【００１８】
第３母線バー１０も、導電材料製の略長尺板状であって、主幹ブレーカ５  と接続する第５本体１１と分岐ブレーカ１８と接続する第６本体１２を有する。第５本体１１は、一端に主幹ブレーカ５  の端子部５ａと接続する締結孔１１ａ  有し、端子ネジ６  で接続されるとともに、他端は第６本体１２と接続される。第６  本体１２は、その長手方向に対し直交方向に多数の端子接続体１２ａ，１２ａ  …を並設し、ボックス取付基台１  と平行に配設される。また、各端子接続体１２ａ，１２ａ  …は、略コ字状を成しており、その一端の挿入片１２ｂ  は、後述する分岐ブレーカ１８の電源側端子部１９の端子孔１９ａ  に挿入可能な断面を有しており、ボックス取付基台１  と所定間隔を有するとともに、第６  本体１２の長手方向に対し直交方向に配設される。
【００１９】
連結体１３，１３  …は、第１母線バー２  または第２母線バー７  より分岐ブレーカ１８に電源を供給する経路の一部となるもので、導電材料製で略Ｌ字状に形成される。この連結体１３は、略長尺平板状の挿入片１３ａ  と連結片１３ｂ  と装着片１３ｃ  を有している。挿入片１３ａ  は、第３母線バー１０の端子接続体１２ａ  の挿入片１２ｂ  に絶縁的に並設されるもので、挿入片１２ｂ  と同様に分岐ブレーカ１８の電源側端子部１９の端子孔１９ａ  に挿入可能な断面を有しており、ボックス取付基台１  と所定間隔を有するとともに、第６  本体１２の長手方向に対し直交方向に配設される。連結片１３ｂ  は、後述する接続体１４の挟着部１６により挟着されるもので、その長手方向がボックス取付基台１  に垂直で、短手方向が第６  本体１２の長手方向に対し垂直となるよう配設される。装着片１３ｃ  は、連結体１３をボックス取付基台１  の上面１ａに装着するもので、ネジによる締結や接着材等で固定される。
【００２０】
接続体１４は、連結体１３と第１母線バー２  または第２母線バー７  を選択的に接続するもので、導電材料製の略平板状であって、本体部１５と挟着部１６と接続部１７を有する。本体部１５は、対向片１５ａ，１５ｂ  を有する平板状であり、その一端部の本体部１５と略同一平面状に挟着部１６が、他端部の本体部１５と直角方向に接続部１７が形成される。具体的には、挟着部１６は平板状の２個の挟着片１６ａ，１６ｂ  を有し、挟着片１６ａ  は本体部１５と同一平面の対向片１５ａ  側に、挟着片１５ｂ  は挟着片１５ａ  に対して連結片１３ｂ  の厚みより少し狭い間隔だけ離間するとともに位置をずらして並設されるよう、対向片１５ｂ  側に折曲形成される。接続部１７は、接続体１４を第１母線バー２  または第２母線バー７  に接続するもので、締結孔１７ａ  を有して本体部１５の対向片１５ｂ  の位置で折曲形成される。
【００２１】
分岐ブレーカ１８，１８  …は、負荷機器（図示せず）への電源供給のオンオフをするもので、電源側端子部１９と負荷側端子部２０を有している。電源側端子部１９は、第３母線バー１０の挿入片１２ｂ  及び連結体１３の挿入片１３ａ  挿入するための端子孔１９ａ，１９ａ  と、その端子孔１９ａ，１９ａ  に各挿入片１２ｂ，１３ａ  を挿入した際に抜け防止となる端子ネジ部１９ｂ，１９ｂ  を有している。この端子孔１９ａ，１９ａ  は、各挿入片１２ｂ，１３ａ  が挿入可能となるようその断面より少し大きな断面を有した穴であり、各挿入片１２ｂ，１３ａ  を挿入した際に電気的に接続される。また、負荷側端子部２０も、同様に端子孔（図示せず）及び端子ネジ部２０ａ，２０ａ  を有する。
【００２２】
次に、この分電盤Ａ  の分岐ブレーカ１８等の取付手順を以下に述べる。まず、ボックス取付基台１  に主幹ブレーカ５  を装着したうえで、第１母線バー２  、第２母線バー７  、第３母線バー１０及び連結体１３，１３  …をボックス取付基台１  に装着する。そして、分岐ブレーカ１８，１８  …を、その電源側端子部１９の端子孔１９ａ，１９ａ  に第３母線バー１０の挿入片１２ｂ  及び連結体１３の挿入片１３ａ  を挿入しながら、ボックス取付基台１  に装着するとともに、端子ネジ部１９ｂ，１９ｂ  でもって、各端子孔１９ａ  と挿入片１２ｂ，１３ａ  を固定する。次に、分岐ブレーカ１８に供給する電圧に応じて接続体１４を接続する。
【００２３】
すなわち、２００Ｖの電圧を供給する場合は、第１母線バー２  と連結体１３を接続する必要があるため、図１に示すＸのように接続体１４の対向片１５ｂ  がボックス取付基台１  と隣接するように回転して、接続体１４の挟着部１６で連結体の連結片１３ｂ  を挟着し、接続体１４の接続部１７の締結孔１７ａ  を第１母線バー２  の取着片４ａの締結ネジ部４ｂに合わしてネジ止めする。また、１００Ｖの電圧を供給する場合は、第２母線バー７  と連結体１３を接続する必要があるため、図１に示すＹのように接続体１４の対向片１５ａ  がボックス取付基台１  と隣接するようにＸの状態より１８０度回転して、接続体１４の挟着部１６で連結体の連結片１３ｂ  を挟着し、接続体１４の接続部１７の締結孔１７ａ  を第２母線バー７の取着片９ａの締結ネジ部９ｂに合わしてネジ止めする。
【００２４】
このものは、接続体１４を１８０度回転するだけで、分岐ブレーカ１８に供給する電圧を変換することができるため、施工時間が短縮できる。
【００２５】
図３乃至図６は、接続体１４の変形例を示すもので、図３は挟着片１６ｂ  に突起１６ｂａを設けることで、また、図４は挟着片１６ａ，１６ｂ  を湾曲させることで、挟着部１６に弾性力を持たせ、連結片１３ｂ  との挟着力を増すとともに、挟着片１６ａ，１６ｂ  間の寸法精度あるいは連結片１３ｂ  の厚み精度に余裕が生じさせている。図６は、挟着部１６の挟着片１６ａ，１６ｂ，１６ｃ  を互いに位置がずれた３個で形成することにより、接続体１４の捩じれを防止して電気接続の信頼性を増したものである。
【００２６】
さらに、挿入片１２ｂ，１３ａ  と分岐ブレーカ１８の端子孔１９ａ，１９ａ  の連結は、ネジで行ったが、コンセントのようにプラグイン構造にすることにより、分岐ブレーカの着脱をさらに容易にすることもできる。
【００２７】
なお、連結体、接続体の構造は、本実施例に限定されるものではなく、要は１種類の接続体を回転して取着することで、分岐ブレーカに接続する母線バーを容易に変更できるものであればよい。また、第１母線バーをＸ相、第２母線バーを中性線としたが、このものに限定されるものではない。
【００２８】
【発明の効果】
請求項１記載の分電盤は、第１母線バーと第２母線バーに異なる電圧を印加するとともに、接続体でもって連結体の連結片を挟着し、さらに接続体を第１母線バーまたは第２母線バーのどちらか一方と接続することにより、分岐ブレーカに供給される電圧が変換されるため、その電圧変換のための施工が容易となるので、施工時間が短縮される。また、接続体の挟着部及び接続部間方向とは直交方向両側の対向片のうちのどちらかを選択してボックス取付基台に隣接させる形で反転させることにより接続部と接続する第１母線バーまたは第２母線バーを選択することができるため、１種類の接続体で電圧変換をすることができるので、生産性が向上し、且つ低コストとなる。
【００２９】
また、請求項２記載の分電盤は、請求項１の効果に加えて、接続体の挟着部は、連結片を少なくとも３個の挟着片で挟着するため、接続体のねじれが低減され、挟着力が増すので、電気接続の信頼性が向上する。
【図面の簡単な説明】
【図１】本発明の一実施例を示す分電盤の斜視図である。
【図２】その分電盤の平面図である。
【図３】その接続体の斜視図である。
【図４】その接続体の変形例を示す斜視図である。
【図５】その接続体の別の変形例を示す斜視図である。
【図６】その接続体のさらに別の変形例を示す斜視図である。
【図７】本発明の従来例を示す分電盤の部分斜視図である。
【符号の説明】
Ａ        分電盤
１        ボックス取付基台
２        第１母線バー
３      第１母線バーの第１本体
４      第１母線バーの第２本体
４ａ  取着片
５        主幹ブレーカ
７        第２母線バー
８      第２母線バーの第３本体
９      第２母線バーの第４本体
１０      第３母線バー
１１    第３母線バーの第５本体
１２    第３母線バーの第６本体
１２ｂ  挿入片
１３      連結体
１３ａ    挿入片
１３ｂ    連結片
１４      接続体
１６    挟着部
１７    接続部
１８      分岐ブレーカ
１９    電源側端子部
１９ａ  端子孔
２０    負荷側端子部
【図１】
0003624453.tif 000002
【図２】
0003624453.tif 000003
【図３】
0003624453.tif 000004
【図４】
0003624453.tif 000005
【図５】
0003624453.tif 000006
【図６】
0003624453.tif 000007
【図７】
0003624453.tif 000008